(57)【特許請求の範囲】
【請求項１】
水域の景観改善や水質改善のために水域に浮かべられる水上植栽用浮き体において、平行に配される複数本の縦ロープと、これらの縦ロープに交差するように配される複数本の横ロープとにより複数の支持区画を網目状に形成し、この支持区画に複数の単位浮き体を支持させてなることを特徴とする水上植栽用浮き体。
【請求項２】
単位浮き体は、環状に形成した枠体と、この枠体の内側に保持した植栽床と、この植栽床に植栽した植物とからなる請求項１記載の水上植栽用浮き体。
【発明の詳細な説明】
【０００１】
【発明の属する技術分野】
本発明は、湖沼や河川あるいはダム湖などの水域の景観や水質の改善のために水域に浮かべられる水上植栽用浮き体に関する。
【０００２】
【従来の技術】
水上植栽用浮き体は、水上で植物を生育させることで水域の景観の改善や水質の改善を図るのに用いられる。そのような水上植栽用浮き体（その名称はさまざまである）については、例えば特開平６−１０６１８５号、特開平７−７９６５２号、特開平８−３７９６５号、特開平９−９４号、特開平９−１５４４２２号などの各公報に見られるように、種々の構造が既に知られている。
【０００３】
【発明が解決しようとする課題】
水上植栽用浮き体による景観の改善は、そこに植栽される花卉や水性植物などの植物により水上に花壇を形成することでなされる。一方、水上植栽用浮き体による水質の改善は、そこに植栽される植物が水域から栄養塩類などを吸収除去することや水上植栽用浮き体が太陽光を遮蔽することにより藻類の発生を抑制することなどでなされる。したがってこれを適用する水域が広い場合には、それ相応の大きさの水上植栽用浮き体が必要となる。そして水上植栽用浮き体が大型化するとその設置費用も嵩むことになり、これに伴って如何に設置費用を抑制するかという問題が生じる。
【０００４】
大型化する水上植栽用浮き体の低コスト化を可能とする構造としては、例えば特開平９−１５４４２２号公報にその例が開示されるように、比較的小さなサイズで形成した単位浮島（単位浮き体）を多数組み合わせることで必要に応じた任意の大きさとすることのできる集合体構造が有力である。しかしこの従来の集合体構造には一つの問題がある。それは、集合体の各単位浮き体同士を互いにつなぎ留めるようにしてある構造に伴う問題である。すなわち各単位浮き体同士を互いにつなぎ留める構造の場合には、係留のための費用を抑えるために、組み合わせた単位浮き体を一括的に係留しようとすると、例えば係留端側に位置する単位浮き体については他の単位浮き体全部の荷重が掛かることになる。つまり単位浮き体に掛かる荷重が非常に大きなものとなってしまう。そしてもしこのような荷重に耐え得るような構造を単位浮き体に与えるとすれば、その構造のための費用が嵩み、本来の目的である低コスト化は望めない。
【０００５】
また単位浮き体に大きな強度を必要とする構造であると、例えば特開平１１−４６６０７号公報に開示されるような浮き島（水上植栽用浮き体）には、集合体構造を適用するのが困難であるという問題もある。すなわち特開平１１−４６６０７号公報に開示の水上植栽用浮き体は、木材をその枠材に利用することで、景観改善性を高めるとともに、間伐材の有効利用を図り、さらに低コスト化も可能とするものであり、水上植栽用浮き体の環境保全的な機能にとって特に好ましいものであるが、その一方で木材を枠材とすることから、その構造強度にそれほど大きなものを期待できないのが通常であり、集合体化が困難となってしまう。
【０００６】
水上植栽用浮き体の設置費用を抑制するためには、水上植栽用浮き体自体の低コスト化の他に、係留費用の抑制を図ることも重要である。水上植栽用浮き体の係留について従来では、例えば特開平９−９４号、特開平９−１５４４２２号、特開平９−３１４１８０号などの各公報に見られるように、水底に設置した係留ピットにロープを介して係留する構造が広く用いられている。しかしこのような係留構造であると、係留ピットの水底への設置に多大な費用を要するだけでなく、水位の変動に対応するために係留用のロープに設ける複雑な仕掛けのための費用も嵩むことになる。すなわち従来の係留構造は多大な費用を要するものであり、これについても改善が求められる。
【０００７】
本発明は上記のような事情を背景になされたものであり、適用する水域の広さに応じて任意の大きさを選択することができる集合体構造について、低コスト化を可能とする水上植栽用浮き体の提供を目的としている。
【０００８】
【課題を解決するための手段】
上記目的の一つを達成するために請求項１の発明では、複数の複数本の縦ロープを平行に配し、それに係留力を負担させることで複数の単位浮き体を支持させるようにしている。さらに請求項２の発明のように、これらの縦ロープに交差するように複数本の横ロープを配することで、複数の支持区画を網目状に有する“ハンモック”を形成し、この“ハンモック”の支持区画に単位浮き体を支持させるようにする。このようなハンモック構造については種々の構造の単位浮き体を用いることができるが、支持区画による支持を行い易いなどの点から好ましいものの一つとしては、環状に形成した枠体と、この枠体の内側に保持した植栽床と、この植栽床に植栽した植物とからなる構造の単位浮き体を挙げることができる。
【０００９】
以上のような複数本の縦ロープにより複数の単位浮き体が支持される構造であるため、構造が簡単で単位浮き体の低コスト化が可能となり、ひいては水上植栽用浮き体の低コスト化が可能となる。また、複数本の縦ロープと横ロープとによるハンモック構造によると、単位浮き体は支持区画を形成する縦ロープと横ロープにより各単位浮き体ごとに支持される。つまり各単位浮き体の荷重は全て縦ロープと横ロープにより負担され、単位浮き体同士に荷重の伝達を生じることがない。したがって各単位浮き体に必要な構造強度はそれ自身の係留負荷に充分耐えることになり、より強固なものとなる。また各単位浮き体の係留負荷を軽減できることは、特開平１１−４６６０７号公報に開示される例のような構造、つまり木材を枠材に利用することで環境保全的な機能にとって特に好ましい構造を単位浮き体に適用してこれを有効に活用できるという利点も得られる。またハンモック構造には、風浪による衝撃を吸収し易いし、ダム湖などのように流木の流入があるような水域で問題になる流木の衝突による衝撃も吸収し易く、耐久性に優れるという長所もある。このような長所は、ハンモック構造を細長く形成することにより、さらに助長することができる。
【００１０】
以上のことから理解できるように請求項１の発明では、水域の景観改善や水質改善のために水域に浮かべられる水上植栽用浮き体について、平行に配される複数本の縦ロープに複数の単位浮き体を支持させてなる構造とすることで、集合体構造における低コスト化を可能としている。また請求項２の発明では、このような構造で用いる単位浮き体について、環状に形成した枠体と、この枠体の内側に保持した植栽床と、この植栽床に植栽した植物とからなる構造とするのを好ましいものとしている。
【００１４】
ハンモック構造の水上植栽用浮き体を地上係留構造で係留するには、縦ロープに係留力を伝えるようにするのが通常である。そのためには、水上植栽用浮き体の縦方向の端に、縦ロープと直交するようにして、例えば丸太などを用いることのできる端部強度部材を設け、この端部強度部材で係留力を一旦受けてから各縦ロープに伝えるようにするのが好ましい。そこで本発明では、水上植栽用浮き体の縦端に、縦ロープと直交するようにして、端部強度部材を設け、この端部強度部材に係留力を受けさせるようにしている。
【００１５】
またこのような端部強度部材を用いるについては、係留を２段構造で行うのが好ましい。すなわち端部強度部材にその一端を固定させる１段目の係留ロープと、この１段目の係留ロープと係留ピットの間をつなぐ２段目の係留ロープを用いることである。このような構造は、ダム湖などにおける流木対策に適している。上記のように枠材に木材を利用した単位浮き体を用いることは好ましい例であるが、これに対応して端部強度部材にも木材丸太を用いる場合には、この端部強度部材に掛かる係留荷重を寸胴な木材丸太の強度特性に対応した荷重分布とする必要があり、そのためには縦ロープと同じかそれ以上の本数で係留ロープを設けるのが好ましい。そしてその場合に複数本の係留ロープを直接に係留ピットに固定させるとすれば、係留荷重の集中する端部強度部材の近辺が流木の引っ掛かり易い状態になってしまう。つまり係留荷重が集中することから、流木に対する保護が特に必要である端部強度部材の近辺に流木が引っ掛かり易い状態を与えてしまう。これに対し、係留ロープを２段にする場合には、縦ロープの本数と同じかそれ以上の本数で設けた１段目の係留ロープをそれぞれの先端で一点に結合させ、この結合点に２段目の係留ロープを接続させるという構造とすることにより、複数本の１段目の係留ロープに、流木の引っ掛かりを避け易い三角形配置を端部強度部材の近辺において形成させることができる。なおこのような係留の２段構造については、水上植栽用浮き体の縦ロープを延設して１段目の係留ロープに兼用することも可能である。
【００１６】
【発明の実施形態】
以下、本発明の実施形態を、平行に配される複数本の縦ロープと複数本の横ロープとから構成されているハンモック状の構造について説明する。図１に一実施形態による集合構造の水上植栽用浮き体の概略をその係留状態と併せて示し、図２には水上植栽用浮き体の一部を拡大して示す。これらの図に見られるように、水上植栽用浮き体１は、縦長のハンモック状に形成した支持ベース２に多数の単位浮き体３を支持させた構造とされる。支持ベース２は、縦方向に平行に配される複数本（図の例では４本）の縦ロープ４と、これらの縦ロープ４に交差（図の例では直交）するように配される複数本（図の例では一部を省略してあるが９４本）の横ロープ５により複数（図の例では一部を省略してあるが１３８個）の支持区画６を枡目形の網目状に形成してなる。そしてこの支持ベース２の各支持区画６に単位浮き体３を支持させてある。また支持ベース２は、その縦方向の両端に例えば木材丸太などが用いられる端部強度部材７が縦ロープ４と直交するようにして設けられており、この端部強度部材７に縦ロープ４が固定されている。図の例の水上植栽用浮き体１は、１３８個の単位浮き体３を集合させるものであり、長さが９０ｍ程度であり、幅が６ｍ程度である。この程度の大きさとする場合には縦ロープ４には例えば３０ｍｍ程度の径の合成樹脂ロープを用い、横ロープ５には６ｍｍ程度の径の合成樹脂ロープを用いるのが通常である。
【００１７】
単位浮き体３は、図３にその断面構造を示すように、例えば２ｍ四方程度の大きさの四角な環状に形成した枠体８と、この枠体８の内側に保持させた植栽床９と、この植栽床９に植栽した植物１０とからなる。その枠体８は、例えば間伐材の丸太を用いて形成される主枠部１１と、この主枠部１１の下側に組み付けられたフロート部１２からなる。フロート部１２は、単位浮き体３を水上に浮かせておくための浮力を与えるもので、例えば発泡樹脂材や中空樹脂管などを用いることができる。中空樹脂管を用いる場合にはフロート部１２自体にもある程度の構造強度を期待でき、それだけ枠体８の強度を高めることができる。植栽床９には、そこに植栽する植物の種類に適した構造を与える。例えばその植物が灌水を嫌い、その根茎を横に伸ばすなどの生育条件を必要とするサワギキョウやクリンソウあるいは日光キスゲのようなものであれば、土壌や粉砕した木炭あるいは人口の軽量土壌などを用いて１０ｃｍ前後の厚みに植栽床９を形成し、その上面が水面よりも５〜１０ｃｍ程度浮くようにする。またその植物が例えばカキツバタやハナショウブあるいはミクリなどのように、中型ないし小型の抽水植物である場合には、浅い灌水状態で根を水中に若干伸ばせることが適する生育条件であることから、上記と同様に形成した植栽床９が５〜１０ｃｍ程度水没するようにする。またその植物が例えばオオフサモやクレソンあるいはセリなどのように水があるだけで生育が可能な場合には、植物を支えるだけで済み、したがって植栽床９は網などを張るだけで形成すれば足りる。
【００１８】
このような単位浮き体３を支持区画６に支持させるには、図２に示すように、その枠体８を縦ロープ４と横ロープ５に括り付ける。その括り付けは、締め付けを簡単に行える例えば樹脂バンド１３などを用いて行うのが好ましく、通常は枠体８の４隅に施す。
【００１９】
以上のような水上植栽用浮き体１の係留は、図１と図４に示すような構造で行う。具体的には、水上植栽用浮き体１を設置する水域Ｌの周辺の地上に係留ピット１４を設け、この係留ピット１４に固定した係留ロープ１５に水上植栽用浮き体１をつなぎ留める。係留ピット１４は地中にコンクリートなどで形成した基礎１４ｂにピット用の金物１４ｐを立設した構造とするのが一般的である。係留ピット１４の設置レベルは、水域Ｌに予想される最高水位を前提とし、それよりも高くなるように設定する。このようにしてあれば、図４に見られるような係留ロープ１５の傾きが変化するだけで、水域Ｌの水位変化に対応することができる。
【００２０】
係留ロープ１５は、図に見られるように２段構造にする。具体的には、水上植栽用浮き体１の端部強度部材７にその一端を固定させる１段目の係留ロープ１５ａと、これと係留ピット１４の間をつなぐ２段目の係留ロープ１５ｂを用いる。１段目の係留ロープ１５ａは水上植栽用浮き体１の縦ロープ４の本数と同じかそれ以上の本数とする。ただし図の例では、水上植栽用浮き体１の縦ロープ４を途中で端部強度部材７に巻き付けただけで延設し、これを１段目の係留ロープ１５ａに兼用してあり、したがって１段目の係留ロープ１５ａの本数は縦ロープ４のそれと同じになっている。そしてこれらの各係留ロープ１５ａには、端部強度部材７に比較的近い位置、例えば端部強度部材７から６ｍ程度の位置で、それぞれの先端を一つの結合点１６で結合させることにより、図１に見られるような三角形配置を与える。この三角形配置は、三角形を二等辺三角形とするのが各縦ロープ４への係留力の均等分散にとって好ましい。一方、２段目の係留ロープ１５ｂは、係留ピット１４の設置条件などに応じて、１本ないし２本程度とし、これを１段目の係留ロープ１５ａの結合点１６に接続させる。なお上記のようなサイズの水上植栽用浮き体１の係留に、２段目の係留ロープ１５ｂを１本ないし２本用いる場合には、例えば３４ｍｍ程度の径の合成樹脂ロープを係留ロープ１５ｂに用いるのが通常である。
【００２１】
以上に述べたように、本発明によれば、適用する水域の広さに応じて任意の大きさを選択することができる集合体構造の水上植栽用浮き体を、より低コスト化で得ることが可能となり、例えば湖沼や河川あるいはダム湖などの水域の景観や水質の改善に役立つ水上植栽用浮き体の普及に寄与できる。
【図面の簡単な説明】
【図１】本発明の一実施形態による水上植栽用浮き体をその係留状態と併せて示す簡略した平面図である。
【図２】図１の部分拡大図である。
【図３】単位浮き体の簡略化した断面図である。
【図４】水上植栽用浮き体の係留構造の簡略化した側面図である。
【符号の説明】
１  水上植栽用浮き体
３  単位浮き体
４  縦ロープ
５  横ロープ
６  支持区画
７  端部強度部材
８  枠体
９  植栽床
10  植物
14  係留ピット
15  係留ロープ
15a  １段目の係留ロープ
15b  ２段目の係留ロープ
【図１】
0004321934.tif 000002
【図２】
0004321934.tif 000003
【図３】
0004321934.tif 000004
【図４】
0004321934.tif 000005